(57)【要約】【課題】新規な軽失禁用シートを提供する。【解決手段】軽失禁用シート１０は、液不透過性のシート本体１０Ａを有し、シート本体１０Ａが平面視したときに一方向に沿って延在し、厚み方向に突出する複数の第一凸部１０ａと、隣接する第一凸部１０ａ同士の間に位置し、一方向に沿って延在し、厚み方向に突出する複数の第二凸部１０ｂと、を備え、第一凸部１０ａの突出寸法Ｈ１が、第二凸部１０ｂの突出寸法Ｈ２よりも大きい。【選択図】図１
2019063322.tif 000002
【特許請求の範囲】
【請求項１】
液不透過性のシート本体を有し、
前記シート本体が、
平面視したときに一方向に沿って延在し、厚み方向に突出する複数の第一凸部と、
隣接する前記第一凸部同士の間に位置し、前記一方向に沿って延在し、前記厚み方向に突出する複数の第二凸部と、を備え、
前記第一凸部の突出寸法Ｈ１が、前記第二凸部の突出寸法Ｈ２よりも大きい、
軽失禁用シート。
【請求項２】
前記シート本体の前記一方向が長手方向に一致する、請求項１に記載の軽失禁用シート。
【請求項３】
前記シート本体が、前記第一凸部及び前記第二凸部の延在する前記一方向の両端に設けられた堰状部を備えた、請求項１又は２に記載の軽失禁用シート。
【請求項４】
前記シート本体が単層のフィルムである、請求項１〜３の何れか一項に記載の軽失禁用シート。
【請求項５】
前記シート本体の厚み寸法が４０〜６０μｍである、請求項１〜４の何れか一項に記載の軽失禁用シート。
【請求項６】
液不透過性のシート本体を有し、
前記シート本体が少なくとも一方の面に溝を備えた、軽失禁用シート。
【発明の詳細な説明】
【技術分野】
【０００１】
本発明は、軽失禁用シートに関する。
【背景技術】
【０００２】
軽度の尿漏れ等に対応する吸収性物品として、吸収パッドが知られている。吸収パッドは、下着や、吸収パッドの保持用に作られたホルダーパンツと呼ばれる布製のパンツ型外装体に取り付けられ、尿等の体液（以下「排泄水分」という。）を吸収するものである。
一般に、吸収パッドは、透液性表面シートと裏面シートとの間に吸収体を挟装した積層構造を有する（特許文献１参照）。
【０００３】
しかし、吸収パッドには、着用者の快適性のさらなる向上が望まれている。
【先行技術文献】
【特許文献】
【０００４】
【特許文献１】特開２００９−０７７８４２号公報
【発明の概要】
【発明が解決しようとする課題】
【０００５】
本件は、新規な軽失禁用シートを提供することを目的とする。
【課題を解決するための手段】
【０００６】
上記の目的を達成するために、本件の軽失禁用シートは、液不透過性のシート本体を有し、前記シート本体が、平面視したときに一方向に沿って延在し、厚み方向に突出する複数の第一凸部と、隣接する前記第一凸部同士の間に位置し、前記一方向に沿って延在し、前記厚み方向に突出する複数の第二凸部と、を備え、前記第一凸部の突出寸法Ｈ１が、前記第二凸部の突出寸法Ｈ２よりも大きい。
【０００７】
また、本件の軽失禁用シートは、液不透過性のシート本体を有し、前記シート本体が少なくとも一方の面に溝を備える。
【発明の効果】
【０００８】
本件の軽失禁用シートによれば、通気性及び排泄水分の拡散性に優れるため、軽失禁用シート上で排泄水分を揮発させることができ、着用者の快適性が向上する。
【図面の簡単な説明】
【０００９】
【図１】実施形態で例示する軽失禁用シートと、軽失禁用シートが取り付けられた外装体の全体を示す斜視図である。
【図２】外装体の展開図である。
【図３】軽失禁用シートを示す模式的な平面図である。
【図４】軽失禁用シートの要部を説明するための、図２のＡ−Ａ矢視断面の要部を拡大して示す模式図である。なお、図４では軽失禁用シートの構造を把握しやすくするため、その厚みを誇張して示す。
【図５】軽失禁用シートの要部を説明するための、図２のＢ−Ｂ矢視断面を示す模式図である。なお、図５では軽失禁用シートの構造を把握しやすくするため、その厚みを誇張して示す。
【発明を実施するための形態】
【００１０】
以下、本件を実施するための形態を説明する。本実施形態で述べる軽失禁用シートは、少量の排泄水分、具体的には２〜１０ｃｃ程度の尿漏れを対象としたシートであって、外装体に取り付けて用いられる。外装体は、下着、ホルダーパンツ、おむつカバー、パンツ型のおむつ、展開型のおむつ、その他の軽失禁用シートを取り付けて使用するものを含む。
以下の実施形態では、外装体として下着を例示し、下着に取り付けられる軽失禁用シートについて説明する。
【００１１】
本実施形態では、外装体について、着用者の腹部に対向して配置される前身頃と背部に対向して配置される後身頃とを結ぶ方向を長手方向とする。これらの前身頃と後身頃との間（長手方向の中央）には、着用者の股下に配置（股間に対向して配置）される股下部が位置する。
また、軽失禁用シートが取り付けられた外装体が着用された状態（以下「着用状態」と略称する）において、着用者の肌に向かう側（内側）を肌面側とし、肌面側の反対側（外側）を非肌面側とする。さらに、肌面側と非肌面側とを結ぶ方向を厚み方向とし、長手方向と厚み方向の何れにも直交する方向を幅方向とする。そのほか、厚み方向から視ることを平面視とする。
【００１２】
外装体における各構成の向きについては、例えば長手方向に沿うと表現する場合に、長手方向と平行なことだけでなく、ほぼ長手方向と平行なことも含むものとする。具体的には、長手方向に対する傾斜角度が３０°未満で延在することを長手方向に沿うものとする。同様に、幅方向や厚み方向といった各方向に沿うと表現する場合についても、各方向に対する傾斜角度が３０°未満で延在することを意味する。なお、本明細書において、例えば「１〜１００」との数値範囲の表記は、その下限値「１」及び上限値「１００」の双方を包含するものとする。また、他の数値範囲の表記も同様である。
また、軽失禁用シートについても、長手方向、厚み方向および幅方向等の用語の定義はこれに倣うものとする。
【００１３】
［Ｉ．一実施形態］
［１．軽失禁用シート］
図１及び図２に示すように、下着２０は、幅方向Ｗの中心線ＣＬを基準として対称に構成されている。この下着２０は、長手方向Ｌに沿って前身頃２０Ａ、股下部２０Ｂ及び後身頃２０Ｃの三つの領域に大別される。軽失禁用シート１０は、下着２０に対して着用者の肌面側に配置され、軽失禁用シート１０の表面が着用者に対向する。また、軽失禁用シート１０は、そのシート本体１０Ａが着用者によって下着２０の股下部２０Ｂ付近に貼合（固定）される。
【００１４】
図３及び図４に示すように、軽失禁用シート１０のシート本体１０Ａの表面には、第一凸部１０ａ及び第二凸部１０ｂが形成される。第一凸部１０ａは一方向に沿って延在し、軽失禁用シート１０の厚み方向の肌面側に突出している。また、第二凸部１０ｂは隣接する第一凸部１０ａ同士の間に位置し、第一凸部１０ａと同様に一方向に沿って延在し、軽失禁用シート１０の厚み方向の肌面側に突出している。そして、図４に示すように、第一凸部１０ａの突出寸法Ｈ１は、第二凸部１０ｂの突出寸法Ｈ２よりも大きい。なお、以下において、「シート本体１０Ａ」を「軽失禁用シート１０」と記載することがある。
【００１５】
言い換えれば、軽失禁用シート１０の表面には、隣接する第一凸部１０ａ同士により区切られた複数の第一溝１０ｄが形成されている。また、軽失禁用シート１０の表面には、隣接する第二凸部１０ｂ同士、又は、隣接する第一凸部１０ａと第二凸部１０ｂとにより区切られた複数の第二溝１０ｅが形成されている。そして、図３及び図４に示すように、第一溝１０ｄと第二溝１０ｅとを含む溝状構造は、一方向に沿って延在し、且つ、当該一方向及び厚み方向に直交する方向に繰り返されて、軽失禁用シート１０の表面全域にわたって並設されている。
なお、溝状構造は一方向に延在していれば、平面視において直線状であっても曲線状であってもよい。
【００１６】
上述のように構成された軽失禁用シート１０の表面に少量の排泄水分が接触すると、排泄水分は溝状構造に沿って濡れ広がる。排泄水分は第一凸部１０ａを乗り越え、隣接する溝状構造にも濡れ広がり、並設された溝状構造に沿ってさらに濡れ広がる。軽失禁用シート１０と肌面との間には、複数の第一凸部１０ａと複数の第二凸部１０ｂにより構成される溝状構造によって、空隙が形成されるため通気性に優れる。したがって、少量の排泄水分であれば、軽失禁用シート１０上で排泄水分を拡散し揮発させて、排泄水分の下着２０への漏出を防止できる。その結果、着用者の快適性が低下することを抑えることができる。
また、上述のように構成された軽失禁用シート１０は、従来の積層体からなるパッドと比較して厚み寸法を小さくすることができる。したがって、着用者に対する軽失禁用シート１０のフィット性に優れる。
【００１７】
また、図４に示すように、第一凸部１０ａの突出寸法Ｈ１は、第二凸部１０ｂの突出寸法Ｈ２よりも大きければ特に限定されない。例えば、第一凸部１０ａの突出寸法Ｈ１は３０〜１５０μｍである。また、第二凸部１０ｂの突出寸法Ｈ２は１０〜５０μｍである。なお、複数形成される第一凸部１０ａの突出寸法Ｈ１は同じであっても、互いに異なっていてもよい。また、複数形成される第二凸部１０ｂの突出寸法Ｈ２は同じであっても、互いに異なっていてもよい。
軽失禁用シート１０の厚み寸法Ｈ３は特に限定されない。着用者のフィット性を向上させる観点からは、通常１６０μｍ以下、好ましくは１００μｍ以下、より好ましくは６０μｍ以下である。一方、軽失禁用シート１０の耐久性を向上させる観点からは、通常３５μｍ以上、好ましくは４０μｍ以上である。
さらに、図４に示すように、第一凸部１０ａの幅寸法Ｗ１、第二凸部１０ｂの幅寸法Ｗ２、第一溝１０ｄの幅寸法Ｗ３、及び、第二溝１０ｅの幅寸法Ｗ４は特に限定されない。例えば、Ｗ１は１０〜５０μｍであり、Ｗ２は１０〜５０μｍであり、Ｗ３は１５０〜３００μｍであり、Ｗ４は１０〜５０μｍである。なお、並設される第一凸部１０ａの幅寸法Ｗ１は同じであっても、互いに異なっていてもよい。幅寸法Ｗ２、Ｗ３、及びＷ４も同様である。
【００１８】
上記のような構成を有する軽失禁用シート１０では、第一凸部１０ａ及び第二凸部１０ｂが延在する方向（溝状構造の方向）について特に制限はないが、以下に示す態様が好ましい。
【００１９】
軽失禁用シート１０は、図１及び図２に示すように、第一凸部１０ａ及び第二凸部１０ｂの延在する方向が、下着２０及び軽失禁用シート１０の長手方向Ｌに沿った態様が好ましい。具体的には、第一凸部１０ａが延在する一方向は長手方向Ｌに一致しており、第二凸部１０ｂの延在する方向も長手方向Ｌに一致している。
【００２０】
排泄水分は様々な方向に濡れ広がる。そこで、第一凸部１０ａ及び第二凸部１０ｂを長手方向Ｌに沿って延在させると、主な排泄水分の濡れ広がりを長手方向Ｌに誘導できるため、拡散範囲を確保することができ、軽失禁用シート１０上での排泄水分の拡散性に優れる。軽失禁用シート１０は、長手方向Ｌに沿って延在する溝状構造により形成された空隙により、通気性に優れるため、排泄水分を容易に揮発させることができる。
また、軽失禁用シート１０は、着用者の姿勢によっては、前身頃１Ａや後身頃１Ｃに対応する部分が垂直方向上方（重力方向上方）等に向けて屈曲されうる。このような場合であっても、上記構成の軽失禁用シート１０によれば、高さ寸法の異なる複数の凸部３０ａ，３０ｂに起因した毛細管現象により、溝状構造に沿って排泄水分を垂直方向上方（重力方向上方）等にも吸い上げ、拡散することができる。
したがって、このような軽失禁用シート１０によれば、着用者の姿勢に関わらず、排泄水分の拡散性及び揮発性に優れるため、着用者の快適性が維持される。
【００２１】
なお、軽失禁用シート１０の原反（例えば、裁断等の後加工をする前の状態のもの）の長手方向と、下着２０の長手方向Ｌとは異なっていてもよい。
【００２２】
また、図３及び図５に示すように、軽失禁用シート１０は、第一凸部１０ａ及び第二凸部１０ｂが延在する方向の両端に堰状部１０ｃを有することが好ましい。堰状部１０ｃにより、軽失禁用シート１０の端部における凸部間の空隙が閉じられ、長手方向両端部において排泄水分が堰き止められるため、下着２０への排泄水分の漏出を抑制できる。
【００２３】
堰状部１０ｃの形成方法は特に限定されない。例えば、軽失禁用シート１０の製造時において、端部を切断する際の切断刃の応力によりフィルムを変形させて堰状部１０ｃを形成する方法が挙げられる。また、切断の際に熱をかけ、軽失禁用シート１０の端部を溶かして堰状部１０ｃを形成することもできる。
【００２４】
また、熱・超音波等により凸部を溶解し、軽失禁用シート１０の両端以外の凸部間に堰状部を設けてもよい。さらに、予め堰状部が形成されるように第一凸部１０ａ及び第二凸部１０ｂを形成してもよい。軽失禁用シート１０が両端以外の凸部間に堰状部を備えると、排泄水分が溝状構造に沿って濡れ広がりにくくなり、排泄水分は第一凸部１０ａを乗り越え、幅方向Ｗに濡れ広がる。したがって、堰状部の配置によって、長手方向Ｌ及び幅方向Ｗにバランスよく排泄水分を分散させることが可能になる。
【００２５】
軽失禁用シート１０は、排泄水分をすぐに透過させずに、その表面において排泄水分をある程度濡れ広がらせることができる材料（以下、液不透過性材料という）によって構成されるフィルム状の部材であり、好ましくは単層のフィルムである。軽失禁用シート１０の構成を単層のフィルムとすることで、厚み寸法を小さくすることができ、その結果、着用者のフィット性がより向上する。特に、積層構造を有する従来の吸収パッドと比較して厚み寸法が小さくなるため、従来の吸収パッドと比較して着用者のフィット性に優れる。
液不透過性材料としては、例えば、ポリエチレン、ポリプロピレン等のポリオレフィン樹脂等が挙げられる。したがって、軽失禁用シート１０は、液不透過性を有する。
【００２６】
なお、軽失禁用シート１０の製造方法は特に限定されない。例えば、ナノインプリント法等の従来公知の手法により、液不透過性材料からならフィルムの表面に第一凸部１０ａ及び第二凸部１０ｂを形成して軽失禁用シート１０を得る方法が挙げられる。
【００２７】
本実施形態の軽失禁用シート１０は、着用者のフィット性を阻害しない範囲において、軽失禁用シート１０の肌面側にトップシートを配置してもよい。また、軽失禁用シート１０の非肌面側には、下着２０に貼合（固定）するための固定用接着部を設けることができる。
【００２８】
〔トップシート〕
下着２０に対して、軽失禁用シート１０よりも肌面側にはトップシートが積層される。トップシートは最も肌面側に配置されるシート状の部材である。このトップシートは、軽失禁用シート１０よりも幅方向寸法が大きく、軽失禁用シート１０を肌面側から被覆する。また、トップシートは、下着２０を着用した状態において、着用者の肌に接触して、排泄水分を透過させ、排泄水分を軽失禁用シート１０に到達させる。このため、トップシートは少なくとも一部又は全部が透水性をもつ材料で構成される。また、トップシートは、着用時のフィット性のため、柔軟性が高い材料で構成されることが好ましい。また、着用状態での蒸れを抑えるため、通気性を併せもつ材料で構成されることが好ましい。
【００２９】
トップシートを構成する材料としては、例えば、織布、不織布、多孔性フィルム等を用いることができる。また、トップシートとしては、ポリプロピレン、ポリエチレン、ポリエステル、ナイロン等の熱可塑性樹脂の繊維に親水化処理を施して、不織布にしたものを用いてもよい。トップシートを構成する不織布としては、スパンボンド不織布、ニードルパンチ不織布、スパンレース不織布、ＳＭＳ（Spunbound Meltblown Spunbound）不織布等を用いることができる。
軽失禁用シート１０とトップシートとは、ホットメルト接着剤等の公知の接着剤によって、第一溝１０ｄ及び第二溝１０ｅを潰さないように、全面又は一部が貼合（固定）される。
【００３０】
〔固定用接着部〕
固定用接着部は、軽失禁用シート１０の非肌面側に設けられる。固定用接着部は、下着２０に軽失禁用シート１０を着脱可能に接着させて固定するためのものである。このような接着部を配置することによって、着用後、軽失禁用シート１０の位置がズレてしまうことを防止することができる。固定用接着部としては、両面粘着テープ、メカニカルファスナー等を挙げることができる。
固定用接着部の大きさや配置する位置については、軽失禁用シート１０を下着２０の肌面側に固定することができ、軽失禁用シート１０の位置ズレを防止することができる程度の結合力が得られるものであれば特に制限はない。
【００３１】
また、このような固定用接着部は、固定用接着部の表面を被覆するように配置された接着部保護テープを更に備えてもよい。このように構成することによって、使用前の状態の固定用接着部が、不要な箇所に接着してしまうことを有効に防止することができる。接着部保護テープは、固定用接着部に対して剥離可能な材質のテープによって形成することができる。
接着部保護テープの材質については特に制限はなく、固定用接着部の種類に応じて適宜選択することができ、固定用接着部に対して剥離可能に接着されるものであればよい。
【００３２】
［２．作用及び効果］
本実施形態の軽失禁用シート１０は、上述したように構成されるため、下記の作用及び効果を得ることができる。
【００３３】
軽失禁用シート１０と肌面との間には、複数の第一凸部１０ａと複数の第二凸部１０ｂにより構成される溝状構造によって、空隙が形成されるため通気性に優れる。したがって、少量の排泄水分であれば、軽失禁用シート１０上で排泄水分を拡散し揮発させて、排泄水分の下着２０への漏出を防止できる。その結果、着用者の快適性が低下することを抑えることができる。
また、軽失禁用シート１０は厚み寸法を小さくすることができるため、着用者に対する軽失禁用シート１０のフィット性に優れる。
【００３４】
［ＩＩ．その他］
上述した実施形態はあくまでも例示に過ぎず、この実施形態で明示しない種々の変形や技術の適用を排除する意図はない。本実施形態の各構成は、それらの趣旨を逸脱しない範囲で種々変形して実施することができる。また、必要に応じて取捨選択することができ、適宜組み合わせることもできる。
【００３５】
例えば、下着２０への排泄水分の漏出をより確実に防止するために、軽失禁用シート１０の周縁部に吸収体を配置してもよい。吸収体は、排泄水分を吸収して保持する吸水性を備える。吸収体は、一般にマット状の部材であるが、軽失禁用シート１０の周縁部に配置する場合には吸収体を窓枠状にしてもよい。吸収体には、粉砕あるいは解繊されたパルプに高吸水性樹脂が混合された吸収マットがラップシートで被包（ラップ）されている。また、軽失禁用シート１０と吸収体とをトップシートにより被覆してもよい。
【００３６】
また、シート１０の表面において一方向に延在する凸部１０ａ，１０ｂ（一方向に延在する溝状構造）を、複数方向に延在させる構成としてもよい。つまり、このシートでは、溝状構造の少なくとも一部が長手方向Ｌに対して所定の角度（例えば、３０〜９０°）を有する。このようなシートによれば、排泄水分を所定方向に誘導することができる。
さらに、軽失禁用シート１０として、液不透過性のシート本体を有し、シート本体が少なくとも一方の面に溝を備えたシートを用いてもよい。このようなシートとしては、例えば、一方向に延在し厚み方向Ｔの肌面側に突出する第一凸部１０ａを表面に有し、第二凸部１０ｂを有さないシートが挙げられる。
【００３７】
なお、軽失禁用シート１０と同様に、他のシート（例えばトップシート）にも「シート本体」という概念が含まれることを念のために付言する。
【符号の説明】
【００３８】
１０（１０Ａ）  軽失禁用シート（シート本体）
１０ａ          第一凸部
１０ｂ          第二凸部
１０ｄ          第一溝
１０ｅ          第二溝
２０            外装体（下着）
２０Ａ          前身頃
２０Ｂ          股下部
２０Ｃ          後身頃
【図１】
2019063322.tif 000003
【図２】
2019063322.tif 000004
【図３】
2019063322.tif 000005
【図４】
2019063322.tif 000006
【図５】
2019063322.tif 000007